(57)【要約】      （修正有）【課題】既設管路が老朽化し更新する場合など、不断水で使用中の管路に新規管路を推進施工する。【解決手段】既設管路１に設置したタンク２内で、既設管路１を新規単管が介挿できる長さ切断除去して把持装置７で持ち上げ、次いでタンク２上部に設けた仕切壁３を閉じ、上部の水を排出後、タンク２を開放し切断管１ａをタンク２外へと除去する。次いで新規単管１０をタンク２上部に設置し把持装置７により把持し、再びタンク２を密閉すると共に仕切り壁３を開放してタンク上下空間を一体に連通し、新規単管１０を降下させ、押し部材８で単管１０を既設管路１内へ押し込む。次の新規単管１０を同様の工程で、タンク２底に降下させ、既に設置した新規単管１０の後端に新規単管１０の先端を接続し、軸方向へ押し部材８で押し、既設管１内に新規単管１０を接続しつつ推進させていく。新規管路を必要長さ敷設し、最後に水密に接続後タンク２を解体除去する。【選択図】  図１
2004176804.tif 000002
【特許請求の範囲】
【請求項１】
既設管路を水密タンクで覆い、該タンク内の前記既設管路を通水した状態のまま新規単管が介挿できる長さ分切断除去し、該切断管を遠隔把持装置で前記タンク外へ取り出した後、外部より前記タンク内に新規単管をタンク内に搬入し、水密通水状態を維持したまま前記既設管路の切断開放部に前記新規単管を同軸姿勢に載置し、該管を遠隔操作により既設管路内へ順次推進して新規管路を必要長さ敷設し、最後に新規推進管路の後端と既設管の先端とを遠隔操作により水密に接続し、前記タンクを解体除去する不断水管推進工法。
【請求項２】
請求項１における不断水管推進工法に使用される水密タンクであって、管路を必要な長さだけ水密に覆う水密タンクの本体上部にタンク内を水平に仕切る開閉蓋がタンク外よりタンク内へ入出自在に設けられ、前記タンク本体の天井部にはリフトが設けられ、該リフトの下端に設けられた把持装置によって管あるいは切断工具など必要な部材が把持されて前記タンク内を降下、上昇可能に支持され、前記タンク本体の前記開閉蓋より上方には水密に閉めることのできる開閉扉が設けられ、該開閉扉から工具や新規単管などが搬入可能とされ、前記タンクの底面部には、管押し込み用のロッドが、水密状態にシールされて出入自在に設けられてなる不断水管推進工法用水密タンク。
【請求項３】
請求項２における不断水管推進工法用水密タンクに、該タンク内の水を、浄化し再び前記タンク内に戻す水浄化装置を設けてなる不断水管推進工法用水密タンク。
【発明の詳細な説明】
【０００１】
【発明の属する技術分野】
この発明は、上水、下水道の管路を遮断することなく通水させたままで既設管内に新規管路を敷設していく不断水管推進工法に関する。
【０００２】
【従来の技術】
上水、下水道管路が老朽化するなどして新規管路に敷設替えする場合、道路などを開削する必要のない工法として、交換すべき一定長さの管路の上流と下流にそれぞれ発進立坑と到達立坑とを掘削し、当該管路の通水を一旦遮断して交換すべき老朽管路内に新規管を接続しつつ推進して行き、老朽管路内に新規管路を敷設する、いわゆるパイプインパイプ工法が知られている（例えば非特許文献）。
【０００３】
【非特許文献】
昭和６０年６月、久保田鉄工株式会社発行「ダクタイル管施工ハンドブック」第３３５頁〜３５２頁。
【０００４】
【発明が解決しようとする課題】
しかし、上下水道は公共設備であるので、送水を遮断して工事を行うことは出来ない場合も多い。
【０００５】
このため、管路の更新などを行う場合は、バイパス管路を設けることによって管路を更新するといったことを余儀なくされる場合がある。
しかし、この場合は、バイパス管路の敷設と工事終了後の撤去に手間が掛かり、しかも費やした工事や経費は全く無駄となるので不経済となる問題があった。
【０００６】
この発明は、上記問題を解消し、既設管路が老朽化し更新する場合など、不断水で使用中の管路に新規管路を推進施工することを課題としてなされたものである。
【０００７】
【課題を解決するための手段】
上記課題を達成するため請求項１の発明は、既設管路を水密タンクで覆い、該タンク内の前記既設管路を通水した状態のまま新規単管が介挿できる長さ分切断除去し、該切断管を遠隔把持装置で前記タンク外へ取り出した後、外部より前記タンク内に新規単管をタンク内に搬入し、水密通水状態を維持したまま前記既設管路の切断開放部に前記新規単管を同軸姿勢に載置し、該管を遠隔操作により既設管路内へ順次推進して新規管路を必要長さ敷設し、最後に新規推進管路の後端と既設管の先端とを遠隔操作により水密に接続し、前記タンクを解体除去する工法である。
【０００８】
この工法によれば、管路を覆うように設けた水密タンク内で既設管内への新規管の挿入ならびに推進工法を行うので、通水は外部に漏出する事は無く、しかも既設管内に新規管を挿入する場合、新規管内に通水した状態で新規管路を推進していくので、断水することなく新規管の推進工法の実施が可能となる。
【０００９】
請求項２の発明は、請求項１における不断水管推進工法に使用される水密タンクであって、管路を必要な長さだけ水密に覆う水密タンクの本体上部にタンク内を水平に仕切る開閉蓋がタンク外よりタンク内へ入出自在に設けられ、前記タンク本体の天井部にはリフトが設けられ、該リフトの下端に設けられた把持装置によって管あるいは切断工具など必要な部材が把持されて前記タンク内を降下、上昇可能に支持され、前記タンク本体の前記開閉蓋より上方には水密に閉めることのできる開閉扉が設けられ、該開閉扉から工具や新規単管などが搬入可能とされ、前記タンクの底面部には、管押し込み用のロッドが、水密状態にシールされて出入自在に設けられてなるものである。
【００１０】
この水密タンクによれば、必要な管路に、この管路を水密に覆うように取り付ければ、以後は不断水状態で管路の切断新規管挿入の施工が可能となる。
請求項３の発明は、請求項２における不断水管推進工法用水密タンクに、該タンク内の水を、浄化し再び前記タンク内に戻す水浄化装置を設けてなるものである。
【００１１】
この水密タンクによれば、不断水状態で施工する際に発生する、例えば管切断時に発生する切断屑や、工事の進行に伴って発生する遊離汚泥などを除去でき、不断水工法施工中における通水の清浄状態が保てる。
【００１２】
【発明の実施の形態】
次に、この発明の不断水管推進工法およびその工法用水密タンクについて説明する。
【００１３】
図１はこの発明の方法を実施する際の装置全体を示す説明断面図である。
図１において、２は管路１を必要な長さ、即ち更新管路に接続使用される単管を挿入出来る長さだけの部分を水密に覆うタンクを示し、このタンク２で管路を覆い、周囲に水が漏洩しないようにする。
【００１４】
タンク２の上部にはタンク内を水平に仕切る開閉蓋３が、タンク２外よりタンク内へ入出自在に設けられ、かつ、開閉蓋３の貫通部分から漏水しないように開閉蓋３の全行程が水密カバー４で覆われている。図中５は、開閉蓋３を開閉操作するハンドルを示し、図示例の場合は、ハンドル５によって回転操作される送りねじロッド（図示せず）によって開閉蓋３が開閉動作されるように構成されている。
【００１５】
タンク２の天井部にはリフト６が設けられ、リフト６の下端に設けられた把持装置７によって管１０あるいは切断工具など必要な部材が把持されてタンク２内を降下、上昇するようにされている。
【００１６】
また、タンク２の開閉蓋３より上方には水密に閉めることのできる開閉扉１５が設けられ、ここから工具や新規単管１０などが搬入可能とされている。
リフト装置６の上部には図示は省略されているが上下方向に駆動するシリンダ装置ないしは摩擦駆動装置が設けられており、把持装置７を保持するリフト６が上下方向に駆動可能とされている。
【００１７】
タンク２の底面部には、タンク２外に設けたシリンダピストン装置よりなる管押し込み装置８のピストン９が、周囲をパッキンなどで水密状態にシールされて出入自在に設けられ、ピストン９の先端には、搬入される新管１０の一端に係合する押板１１が設けられている。
【００１８】
また、図中１２は既設管１を除去した後に設けられる新規挿入管１０の芯出しと軸方向移動をスムーズに行うための推進台を示す。
また、水密タンク２内には取水口１７と放水口１８が設けられ、その間に例えばフィルターなどを内蔵した浄水装置１９が連通され施工中に発生した切断屑や浮遊汚泥を除去するようにされている。
【００１９】
次に、上記設備による不断水管推進工法を説明する。
まず、図１に示したように既設管路１の推進工法を開始する地点にタンク２を立設し、既設管路１周囲とタンク２の貫通部分とを水密にシールし、内部の水が外へ漏洩しないようにする。なお、切断予定の既設管の下部に推進台１２を設置する。また、図示はされていないが、新規管１０を敷設し終わる地点にも同様な構造のタンクが設けられる。
【００２０】
次いで、図２に示すように、リフト６の先端に管切断カッター１３を取り付け、タンク２内へ下降させる。そして、新しい単管１０より少し長い分だけ、カッター１３で既設管路１を切り取る。このとき既設管１の切断に伴って内部流水が流出するが、周囲はタンク２で覆われているので外部へ流出することはない。なお、図２以下には図示を省略されているが、タンク２内に充満した水は取水口１７（図１）から浄水装置１９（同）を経て放水口１８（同）へと循環されるので工事の進展に伴ってタンク２内に発生する切断屑や浮遊汚泥などは、可能な限り除去される。なお、図示はされていないが、新規管１０を敷設し終わる地点に設けられるタンク２内でも同様に浄水が行われる。
【００２１】
このように、上流から流れてくる水は、一旦タンク２内を満たしたあと再び下流側の管路１へと流れていき、断水することはない。
そして、切断終了後は、カッター１３を引き上げ、取り外した後、図３に示すように再び下降させ切り取った管１ａをリフト６の先端の把持装置７で把持してタンク２上部へと引き上げる。
【００２２】
そして、開閉蓋３より上方へ管１ａを引き上げれば図４に示すように、ハンドル５を操作して開閉蓋３を閉じ、タンク２の下方空間を下方空間と遮断する。
そして、タンク２の上部空間内を排水しタンク上方を開放し、図５に示すように開閉扉１５を開けて切断した管１ａを搬出すると共に、新しい単管１０を運び入れ、リフト先端の把持装置７に取り付ける。なお、１０ｃは、単管１０周囲に巻きつけられたバンドを示し、車輪１０ｒが設けられ、単管１０を軸方向へ推進する際の抵抗を軽減するようにされている。
【００２３】
図６に示すように、開閉扉１５を閉めタンク２上部を密閉し、開閉蓋３をハンドル５操作により開放し、リフト６をタンク２下部へと下降させる。
新規単管１０が推進台上に達すれば、図７に示すように把持装置７から新規単管１０を開放し推進台１２上に託し、管押し込み装置８のピストンシリンダ装置を駆動し突き出したピストン９により、新規単管１０を既設管路１内へと押し込む。このとき、新規単管１０には車輪が設けられているので、軸方向への推進力はそれだけ少なくて済む。
【００２４】
そしてこの間、図８に示すように、リフト６は上方へ引き上げられ、開いた開閉蓋３から上方へ移動すれば、再び開閉蓋３を閉じ排水後、タンク２の上部を開放し、次の新規単管１０を開閉扉１５から搬入して把持装置７に把持させる。
【００２５】
そして、再びタンク２の上方を閉じ、開閉蓋３を開放して新規単管１０を推進台１２上へ下降させる。
次いで図９ならびに図１０に示すように、先に下降された新規単管１０は押し込み装置８で既設管路１内へ押し込まれているため、後に下降された新規単管１０は推進台上１０に載置され、再び押し込み装置８により先に下降された新規単管の受口１０ａに挿口１０ｂを挿入するように押し込まれる。
【００２６】
なお、この場合の管継手としては、いわゆるスリップオンタイプのものが使用され、受口１０ａに挿口１０ｂを挿入すれば接続が完了するものが好適に使用される。
【００２７】
このような操作を繰り返して、新規単管１０…を接続しつつ既設管路１内へと挿入し、図示は省略されているが、到達地点に設けた立坑まで、新規管路を推進工法で敷設するのである。
【００２８】
そして、最後の新規管１０を接続したあとは、図１１に示すように、最後の新規管１０外周に託しておいた接続具１４で新規管１０の後端と既設管路１の先端１ａならびに後端１ｂとを水密に接続すると共に、到達立坑でも同様に既設管後端と新規管１０の先端とを接続具で水密に接続し、管路の接続を終了する。
【００２９】
なお、既設管後端と新規管１０の先端とを接続する間だけは一時的に断水される。
この接続が終了すれば、既設管１内を流れる水は再び管内だけを流れるようになるので、タンク内の水を排水し、タンクそのものを分解除去し、掘削した地面を埋め戻して工事を終了するのである。
【００３０】
【発明の効果】
この発明は以上説明したように、既設管路の中に更新管などを推進工法で敷設する場合、通水したままで推進工法を実施でき、断水するにしても一時的な短い時間で済むので、長期間の断水をすることなく管の更新が可能となる。
【図面の簡単な説明】
【図１】この発明の方法を実施する際の装置全体を示す説明断面図である。
【図２】この発明の方法の実施状態においてカッターを搬入している状態を示す説明断面図である。
【図３】この発明の方法の実施状態において切断した管を搬出している状態を示す説明断面図である。
【図４】この発明の方法の実施状態において切断した管をタンク外へ搬出する状態を示す説明断面図である。
【図５】新規単管を搬入している状態を示す説明断面図である。
【図６】新規単管を下降させる状態を示す説明断面図である。
【図７】新規単管を下降した状態を示す説明断面図である。
【図８】新規単管を既設管内に推進している状態を示す説明断面図である。
【図９】新規単管を推進している状態を示す説明断面図である。
【図１０】新規単管を引き続き推進している状態を示す説明断面図である。
【図１１】推進工法完了時を示す説明断面図である。
【符号の説明】
１      既設管路
２      タンク
３      タンク内を水平に仕切る開閉蓋
４      水密カバー
５      ハンドル
６      リフト
７      把持装置
８      管押し込み装置
９      ピストン
１６      パッキン
１１      押板
１０      新規単管
【図１】
2004176804.tif 000003
【図２】
2004176804.tif 000004
【図３】
2004176804.tif 000005
【図４】
2004176804.tif 000006
【図５】
2004176804.tif 000007
【図６】
2004176804.tif 000008
【図７】
2004176804.tif 000009
【図８】
2004176804.tif 000010
【図９】
2004176804.tif 000011
【図１０】
2004176804.tif 000012
【図１１】
2004176804.tif 000013